(57)【要約】【課題】    本願発明の排水トラップは、排水装置内部や排水管内部の汚濁物質の付着やぬめりを防止する、ぬめり取り剤付き排水装置を提供することを目的とする。【解決手段】  排水を処理する排水装置１と、排水装置１に開口される、排水が排水装置１内に流入するための排水口２と、排水口２に取り付けられ、排水装置１内部を目隠しする目隠し部４を備えた本体５と、本体５に着脱自在に備えることが出来る薬剤ケース６と、薬剤ケース６内に収納されるぬめり取り用の薬剤と、から構成されるぬめり取り剤付き排水機器において、薬剤ケース６に、排水が薬剤ケース６内に流入する流入口７と、薬剤ケース６内の排水が流出する流出口８と、を構成するとともに、流入口７及び流出口８を断面視薬剤ケース６の下方に構成し、該薬剤ケース６を本体５の下方裏面に着脱自在に取り付ける。【選択図】  図１
2006342553.tif 000002
【特許請求の範囲】
【請求項１】
排水を処理する排水装置１と、
排水装置１に開口される、排水が排水装置１内に流入するための排水口２と、
排水口２に取り付けられ、排水装置１内部を目隠しする目隠し部４を備えた本体５と、
本体５に着脱自在に備えることが出来る薬剤ケース６と、
薬剤ケース６内に収納されるぬめり取り用の薬剤と、
から構成されるぬめり取り剤付き排水機器において、
薬剤ケース６に、排水が薬剤ケース６内に流入する流入口７と、薬剤ケース６内の排水が流出する流出口８と、を構成するとともに、流入口７及び流出口８を断面視薬剤ケース６の下方に構成し、
該薬剤ケース６を本体５の下方裏面に着脱自在に取り付けたことを特徴とするぬめり取り剤付き排水装置。
【請求項２】
前記本体５と薬剤ケース６に、係合用溝１１及び当該係合用溝１１に着脱自在に係合する係合用リブ１０をそれぞれ構成して、当該係合用リブ１０を本体５の係合用溝１１に嵌合させることで、本体５に薬剤ケース６を着脱自在に取り付けることができる請求項１に記載のぬめり取り剤付き排水装置。
【請求項３】
排水を処理する排水装置１と、
排水装置１に開口される、排水が排水装置１内に流入するための排水口２と、
排水装置１内に封水を構成する封水部１６と、
封水部１６に着脱自在に取り付けられる防臭オワン１５と、
排水装置１に着脱自在に取り付けられる薬剤ケース６と、
薬剤ケース６内に収納されるぬめり取り用の薬剤と、
から構成されるぬめり取り剤付き排水装置において、
前記防臭オワン１５には排水装置１に着脱自在に取り付けるための取り付け用リブ１２を、排水装置１には防臭オワン１５を取り付けるための取り付け用溝１３を構成し、
更に、前記薬剤ケース６に取り付け用切り欠き１４を構成すると共に、薬剤ケース６を前記防臭オワン１５の取り付け用リブ１２に嵌合させて着脱自在に取り付けることを特徴とするぬめり取り剤付き排水装置。
【請求項４】
前記薬剤ケース６を、防臭オワン１５の頂部に着脱自在に取り付けることを特徴とする請求項３に記載のぬめり取り剤付き排水装置。
【請求項５】
前記薬剤ケース６をリング状に構成すると共に、防臭オワン１５の外周に着脱自在に取り付けることを特徴とする請求項３に記載のぬめり取り剤付き排水装置。
【請求項６】
排水を処理する排水装置１と、
排水装置１に開口される、排水が排水装置１内に流入するための排水口２と、
排水装置１内に封水を構成する封水部１６と、
封水部１６に着脱自在に取り付けられる防臭オワン１５と、
排水装置１に着脱自在に取り付けられる薬剤ケース６と、
薬剤ケース６内に収納されるぬめり取り用の薬剤と、
から構成されるぬめり取り剤付き排水装置において、
前記排水装置１の底面に、薬剤ケース６を着脱自在に取り付けることを特徴とするぬめり取り剤付き排水装置。
【請求項７】
前記薬剤ケース６と排水装置１の取り付けを、吸盤で取り付けたことを特徴とする請求項６に記載のぬめり取り剤付き排水装置。
【請求項８】
前記薬剤ケース６と排水装置１の取り付けを、両面テープで取り付けたことを特徴とする請求項６に記載のぬめり取り剤付き排水装置。
【請求項９】
排水を処理する排水装置１と、
排水装置１に開口される、排水が排水機器内に流入するための排水口２と、
排水装置１に着脱自在に取り付けられる薬剤ケース６と、
薬剤ケース６内に収納されるぬめり取り用の薬剤と、
から構成されるぬめり取り剤付き排水装置において、
排水装置１の排水口２に薬剤ケース６を着脱自在に取り付けることを特徴とするぬめり取り剤付き排水装置。
【請求項１０】
排水を処理する排水装置１と、
排水装置１に開口される、排水が排水機器内に流入するための排水口２と、
排水装置１内に封水を構成する封水部１６と、
排水装置１に着脱自在に取り付けられる薬剤ケース６と、
薬剤ケース６内に収納されるぬめり取り用の薬剤と、
から構成されるぬめり取り剤付き排水機器において、
排水装置１の排水口２に薬剤ケース６を着脱自在に取り付けることを特徴とするぬめり取り剤付き排水装置。
【請求項１１】
前記薬剤ケース６に構成された、排水を薬剤ケース６の内部へと流入させるためのガイドとなる排水ガイド９を構成したことを特徴とする前記請求項１乃至請求項１０のいずれか１つに記載のぬめり取り剤付き排水装置。
【発明の詳細な説明】
【技術分野】
【０００１】
本発明は、流し台や浴槽などの各種排水装置内に発生するヌメリを防止するために、排水装置に取り付けられるヌメリ取り剤付き排水装置に関するものである。
【背景技術】
【０００２】
従来の排水装置として、以下のような排水装置がある。（以下、従来例１と記載）
この従来例の排水装置１は、図１６に示したような排水装置１としての排水トラップ１と、防臭オワン１５と、封水部１６と、から構成される。
排水トラップ１は、後記する防臭オワン１５、封水部１６、を構成する。
尚、排水トラップ１は、防臭オワン１５をスライド嵌合させるための取り付け用溝１３を構成するとともに、排水が流入する排水口２と、排水トラップ１内部の排水が排出する、パイプ状の立ち上がり壁から成る排出口３から構成される。
防臭オワン１５は、排水トラップ１内に取り付けられる、断面視逆ワン形状の部材であり、排出口３に覆い被さる様に、且つ脱着自在に取り付けられる。又、当該防臭オワン１５の上端から、上面視外側方向に突出して構成される取り付け用リブ１２を構成すると共に、前記排水トラップ１の取り付け用溝１３に嵌合させて構成する。
封水部１６は、前記排水トラップ１内部に構成され、前記排出口３及び防臭オワン１５によって形成される。当該封水部１６により、常に排水の一部が排水トラップ１内に貯留し、当該封水部１６内の排水により、下水からの臭気や害虫の室内側への逆流を防止する。
【０００３】
この従来の排水装置１の排水の流れとしては、排水が発生すると排水装置１としての排水トラップ１の排水口２から排水が排水トラップ１内へ流入する。排水トラップ１内の排水は封水部１６、防臭オワン１５、排出口３を介して排水トラップ１外へと排出される。
【０００４】
従来例１のような排水装置では、排水中の水垢や排水中のゴミなどにより、排水装置内にぬめりが発生する。
この様なぬめりは、使用者にとって非常に不快であり、また、排水装置内の清掃をこまめに行わなければ成らず、使用者にとって非常に不便であった。
【０００５】
この様な従来例１のような排水装置の問題点を解消するために、以下のようなぬめり取り剤付き排水装置があった。（以下、従来例２と記載）
この従来のぬめり取り剤付き排水装置は、図１７及び図１８に記載した、排水装置としての排水トラップと、排水プレートと、薬剤ケースと、本体と、から構成される。
排水トラップは、排水が排水トラップ内に流入する排水口と、排水トラップ内の排水を外部へと排出する排出口と、排水トラップ内部に構成された封水部から構成される。
排水プレートは、排水トラップの排水口に着脱自在に取り付けられて、排水トラップ内部が外部から外観視できないように構成される。また、当該排水プレートは、ゴムなどの弾性を備える素材から構成され、本体、目隠し部、取り付け部、薬剤ケース、から構成される。
本体は、排水口に取り付けられる円形状の部材であり、目隠し部を一体的に構成して、かつ排水口に脱着自在に取り付けられる部材である。この本体は排水口からの排水を排水トラップ内部に導入させる為の通水部分を切り欠いて構成する。
目隠し部は、前記本体に一体的に構成されるとともに、排水トラップ内部を外部から外観視できないように遮るように構成する部材である。
取り付け部は、後記する薬剤ケースを本体の裏面側から脱着自在に取り付けるための嵌合用溝である。
薬剤ケースは、リング状であって、その内部にぬめりを防止するための固形薬剤を収納し、上方に開口された流入口と、下方に開口された流出口から構成される。また、前記本体の取り付け部と脱着自在に係合して構成される。
【０００６】
前記従来例の排水トラップに排水が発生した場合、以下のように排水が流れる。
排水装置に排水が発生すると、排水口から排水が排水トラップ内へ流入する。排水口からの排水は、排水トラップ内の封水部を通過し、排水トラップの排出口から排水が流出され、最終的に配管部に排水され、下水管へと排水されるように構成される。
また、このとき、排水口からの排水は、薬剤ケースの流入口から薬剤ケース内に流入し、固形薬剤を溶解しつつ薬剤ケースの流出口から排出される。この固形薬剤の溶解液を含んだ排水は、薬剤ケースから排出され、排水トラップ内部に浸透するができる。
【０００７】
【特許文献１】特開２００１−３１７１０１
【発明の開示】
【発明が解決しようとする課題】
【０００８】
しかしながら前記した従来のぬめり取り剤付き排水装置では以下の課題があった。
従来例１の排水装置では、ぬめりが発生してしまい、使用者にとってぬめりが発生する都度清掃しなければ成らず、非常に手間であった。
また、従来例２のぬめり取り剤付き排水装置によると、薬剤ケースの流入口は薬剤ケースの上方に構成され、流出口は薬剤ケースの下方に構成されていることから、薬剤ケース内の排水は上方から下方へと流下する形となる。一旦薬剤ケース内に排水が流入すると、薬剤ケース内の薬剤は上方向から下方向まで排水で晒されることとなる。よって、上下方向に対しては全ての薬剤が排水に晒されるため、薬剤の減りが早かった。
【０００９】
本願発明の排水トラップは、排水装置内部や排水管内部の汚濁物質の付着やぬめりを防止する、ぬめり取り剤付き排水装置を提供することを目的とする。
【課題を解決するための手段】
【００１０】
請求項１に記載のぬめり取り剤付き排水装置は、排水を処理する排水装置１と、排水装置１に開口される、排水が排水装置１内に流入するための排水口２と、排水口２に取り付けられ、排水装置１内部を目隠しする目隠し部４を備えた本体５と、本体５に着脱自在に備えることが出来る薬剤ケース６と、薬剤ケース６内に収納されるぬめり取り用の薬剤と、から構成されるぬめり取り剤付き排水機器において、薬剤ケース６に、排水が薬剤ケース６内に流入する流入口７と、薬剤ケース６内の排水が流出する流出口８と、を構成するとともに、流入口７及び流出口８を断面視薬剤ケース６の下方に構成し、該薬剤ケース６を本体５の下方裏面に着脱自在に取り付けたことを特徴とするぬめり取り剤付き排水装置である。
【００１１】
請求項２に記載のぬめり取り剤付き排水装置は、前記本体５と薬剤ケース６に、係合用溝１１及び当該係合用溝１１に着脱自在に係合する係合用リブ１０をそれぞれ構成して、当該係合用リブ１０を本体５の係合用溝１１に嵌合させることで、本体５に薬剤ケース６を着脱自在に取り付けることができる前記段落００１０に記載のぬめり取り剤付き排水装置である。
【００１２】
請求項３に記載のぬめり取り剤付き排水装置は、排水を処理する排水装置１と、排水装置１に開口される、排水が排水装置１内に流入するための排水口２と、排水装置１内に封水を構成する封水部１６と、封水部１６に着脱自在に取り付けられる防臭オワン１５と、排水装置１に着脱自在に取り付けられる薬剤ケース６と、薬剤ケース６内に収納されるぬめり取り用の薬剤と、から構成されるぬめり取り剤付き排水装置において、前記防臭オワン１５には排水装置１に着脱自在に取り付けるための取り付け用リブ１２を、排水装置１には防臭オワン１５を取り付けるための取り付け用溝１３を構成し、更に、前記薬剤ケース６に取り付け用切り欠き１４を構成すると共に、薬剤ケース６を前記防臭オワン１５の取り付け用リブ１２に嵌合させて着脱自在に取り付けることを特徴とするぬめり取り剤付き排水装置である。
【００１３】
請求項４に記載のぬめり取り剤付き排水装置は、前記薬剤ケース６を、防臭オワン１５の頂部に着脱自在に取り付けることを特徴とする前記段落００１２に記載のぬめり取り剤付き排水装置である。
【００１４】
請求項５に記載のぬめり取り剤付き排水装置は、前記薬剤ケース６をリング状に構成すると共に、防臭オワン１５の外周に着脱自在に取り付けることを特徴とする前記段落００１２に記載のぬめり取り剤付き排水装置である。
【００１５】
請求項６に記載のぬめり取り剤付き排水装置は、排水を処理する排水装置１と、排水装置１に開口される、排水が排水装置１内に流入するための排水口２と、排水装置１内に封水を構成する封水部１６と、封水部１６に着脱自在に取り付けられる防臭オワン１５と、排水装置１に着脱自在に取り付けられる薬剤ケース６と、薬剤ケース６内に収納されるぬめり取り用の薬剤と、から構成されるぬめり取り剤付き排水装置において、前記排水装置１の底面に、薬剤ケース６を着脱自在に取り付けることを特徴とするぬめり取り剤付き排水装置である。
【００１６】
請求項７に記載のぬめり取り剤付き排水装置は、前記薬剤ケース６と排水装置１の取り付けを、吸盤で取り付けたことを特徴とする前記段落００１５に記載のぬめり取り剤付き排水装置である。
【００１７】
請求項８に記載のぬめり取り剤付き排水装置は、前記薬剤ケース６と排水装置１の取り付けを、両面テープで取り付けたことを特徴とする前記段落００１５に記載のぬめり取り剤付き排水装置である。
【００１８】
請求項９に記載のぬめり剤付き排水装置は、排水を処理する排水装置１と、排水装置１に開口される、排水が排水機器内に流入するための排水口２と、排水装置１に着脱自在に取り付けられる薬剤ケース６と、薬剤ケース６内に収納されるぬめり取り用の薬剤と、から構成されるぬめり取り剤付き排水装置において、排水装置１の排水口２に薬剤ケース６を着脱自在に取り付けることを特徴とするぬめり取り剤付き排水装置である。
【００１９】
請求項１０に記載のぬめり取り剤付き排水装置は、排水を処理する排水装置１と、排水装置１に開口される、排水が排水機器内に流入するための排水口２と、排水装置１内に封水を構成する封水部１６と、排水装置１に着脱自在に取り付けられる薬剤ケース６と、薬剤ケース６内に収納されるぬめり取り用の薬剤と、から構成されるぬめり取り剤付き排水機器において、排水装置１の排水口２に薬剤ケース６を着脱自在に取り付けることを特徴とするぬめり取り剤付き排水装置である。
【００２０】
請求項１１に記載のぬめり取り剤付き排水装置は、前記薬剤ケース６に構成された、排水を薬剤ケース６の内部へと流入させるためのガイドとなる排水ガイド９を構成したことを特徴とする前記段落００１０乃至段落００１９いずれか１つに記載のぬめり取り剤付き排水装置である。
【発明の効果】
【００２１】
本発明は上記のように構成したため、以下のような優れた効果を奏する。
１）請求項１に記載の本発明によると、薬剤ケース６に、排水が薬剤ケース６内に流入する流入口７と、薬剤ケース６内の排水が流出する流出口８と、を構成するとともに、流入口７及び流出口８を断面視薬剤ケース６の下方に構成し、該薬剤ケース６を本体５の下方裏面に着脱自在に取り付けたことにより、薬剤ケース６内に流入する排水は下方の流入口７から薬剤ケース６内に進入し、薬剤ケース６下方の流出口８から排出するので、薬剤ケース６内の固形薬剤は、下方部分しか排水に晒されることがないため、固形薬剤の減りは上記従来例２と比較して遅く溶解させることができ、固形薬剤の取り替え頻度を少なくさせることが出来る。
２）請求項２に記載の本発明によると、本体５と薬剤ケース６に、係合用溝１１及び当該係合用溝１１に着脱自在に係合する係合用リブ１０をそれぞれ構成して、当該係合用リブ１０を本体５の係合用溝１１に嵌合させることで、本体５に薬剤ケース６を着脱自在に取り付けることができる。
３）請求項３に記載の本発明によると、防臭オワン１５には排水装置１に着脱自在に取り付けるための取り付け用リブ１２を、排水装置１には防臭オワン１５を取り付けるための取り付け用溝１３を構成し、更に、前記薬剤ケース６に取り付け用切り欠き１４を構成したことから、薬剤ケース６を前記防臭オワン１５の取り付け用リブ１２に嵌合させて着脱自在に取り付けることができる。
４）請求項４に記載の本発明によると、薬剤ケース６を、防臭オワン１５の頂部に着脱自在に取り付けたことから、排水装置１に流入した排水が円滑に薬剤ケース６内に流入することが出来る。
５）請求項５に記載の本発明によると、薬剤ケース６をリング状に構成すると共に、防臭オワン１５の外周に着脱自在に取り付けたことから、排水トラップ内の封水部１６内に薬剤ケース６の溶解液が溶け出すことが出来、特に封水部１６内において固形薬剤の薬液を浸透させることができる。
６）請求項６に記載の本発明によると、前記排水装置１の底面に、薬剤ケース６を着脱自在に取り付けたことから、排水装置１内に封水部１６を備えない形状の排水装置１においても、薬剤ケース６を排水装置１内に配置させることができる。
７）請求項７に記載の本発明によると、薬剤ケース６と排水装置１の取り付けを、吸盤で取り付けたことから、排水装置１に対して脱着自在に薬剤ケース６を取り付けることが出来る。
８）請求項８に記載の本発明によると、薬剤ケース６と排水装置１の取り付けを、両面テープで取り付けたことから、排水装置１に対して脱着自在に薬剤ケース６を取り付けることが出来る。
９）請求項９に記載の本発明によると、排水装置１の排水口２に薬剤ケース６を着脱自在に取り付けたことから、排水装置１より下流の排水管内部においてもぬめり取り剤の効果を発揮させることが出来る。
１０）請求項１０に記載の本発明によると、排水装置１の排水口２に薬剤ケース６を着脱自在に取り付けたことから、排水装置１より下流の排水管内部においてもぬめり取り剤の効果を発揮させることが出来る。
１１）請求項１１に記載の本発明によると、前記薬剤ケース６の下面から内側方向へ突出して構成された、排水を薬剤ケース６の内部へと流入させるためのガイドとなる排水ガイド９を構成したことから、排水が発生した際に、排水ガイド９で排水を受け止めることができ、なおかつ排水ガイド９上の排水を薬剤ケース６内に導入させることができる。
【実施例】
【００２２】
本発明の第１実施例を、図面を参照しつつ説明する。
図１乃至図８に記載した実施例のぬめり取り剤付き排水装置は、排水装置１としての排水トラップ１と、排水プレート１８と、薬剤ケース６と、本体５と、から構成される。
排水トラップ１は、排水が排水トラップ１内に流入する排水口２と、排水トラップ１内の排水を外部へと排出する排出口３と、排水トラップ１内部に構成された封水部１６から構成される。
排水プレート１８は、排水トラップ１の排水口２に着脱自在に取り付けられて、排水トラップ１内部が外部から外観視できないように構成される。また、当該排水プレート１８は、合成樹脂製の素材から構成され、本体５、目隠し部４、薬剤ケース６、から構成される。
本体５は、排水口２に取り付けられる円形状の部材であり、目隠し部４を一体的に構成して、かつ排水口２に脱着自在に取り付けられる部材である。この本体５は排水口２からの排水を排水トラップ１内部に導入させる為の通水部分を切り欠いて構成する。そして、本体５には後記する薬剤ケース６を脱着自在に取り付けるための係合用溝１１を構成する。当該係合用溝１１は、本体５上面に向かって傾斜する傾斜面を備えて構成される。また、薬剤ケース６を取り付け配置するための取り付け嵌合溝１７を構成する。
目隠し部４は、前記本体５に一体的に構成されるとともに、排水トラップ１内部を外部から外観視できないように遮るように構成する部材である。
薬剤ケース６は、リング状であって、その内部にぬめりを防止するための固形薬剤を収納し、薬剤ケース６の全高の半分よりも下方に開口された流入口７と、流入口７と連通しつつ薬剤ケース６の下方に開口された流出口８から構成される。また、前記本体５の係合用溝１１と脱着自在に嵌合する、薬剤ケース６の上方に、上方に突出し且つ上端が側面方向に延出して構成される係合用リブ１０を構成する。そして、薬剤ケース６の下面には、排水口２からの排水を受け止めて、薬剤ケース６の流入口７へガイドして導入する排水ガイド９を構成する。当該排水ガイド９は、板状であって、薬剤ケース６の流入口７付近の下面から内径方向へ向かって延出するように構成される。
【００２３】
また、本実施例の施工方法を記載する。
排水プレート１８の本体５に、薬剤ケース６を取り付けるが、このときの手順としては、本体５の係合用溝１１に、薬剤ケース６の係合用リブ１０を挿入し、薬剤ケース６を回転させることで係合用リブ１０が係合用溝１１に螺着して、取付を完了する。そのとき、薬剤ケース６は本体５の取り付け嵌合用溝１７内に収容配置される。なお、当該取り付け嵌合用溝１７は、本体５の裏面に構成されて成る。そして、本体から取り外すときは、薬剤ケース６を取り付け方向とは逆に回転させることで、本体５から薬剤ケース６を取り外すことができる。
【００２４】
本実施例の排水トラップに排水が発生した場合、以下のように排水が流れる。
排水装置１に排水が発生すると、排水口２から排水が排水トラップ１内へ流入する。排水口２からの排水は、排水トラップ１内の封水部１６を通過し、排水トラップ１の排出口３から排水が流出され、最終的に配管部に排水され、下水管へと排水されるように構成される。
また、排水口２からの排水は、排水プレート１８の目隠し部４を介して排水トラップ１内へ流入するが、このとき、薬剤ケース６の排水ガイド９が排水を受け止め、薬剤ケース６の流入口７へと導入する。排水ガイド９から導入された排水は薬剤ケース６の下方に構成された流入口７から薬剤ケース６内に進入し、固形薬剤の下半分を溶解しながら、これも薬剤ケース６の下方に構成された流出口８から排出される。薬剤ケース６から排出された溶解液は、排水装置１内前面に浸透し、効果的に排水装置１内のぬめりを防止することが出来る。薬剤は使用により徐々に消費されるが、流入口７、流出口８が下側にあることから、薬剤も下方から消費されてゆき、消費分が降りてくるため、完全に使いきることが出来る。
【００２５】
本発明の第２実施例を、図面を参照しつつ説明する。
図９乃至図１０に記載した実施例のぬめり取り剤付き排水装置は、排水装置１としての排水トラップ１と、排水プレート１８と、薬剤ケース６と、本体５と、から構成される。
排水トラップ１は、排水が排水トラップ１内に流入する排水口２と、排水トラップ１内の排水を外部へと排出する排出口３と、排水トラップ１内部に構成された封水部１６から構成される。
排水プレート１８は、排水トラップ１の排水口２に着脱自在に取り付けられて、排水トラップ１内部が外部から外観視できないように構成される。また、当該排水プレート１８は、合成樹脂製の素材から構成され、本体５、目隠し部４、薬剤ケース６、から構成される。
本体５は、排水口２に取り付けられる円形状の部材であり、目隠し部４を一体的に構成して、かつ排水口２に脱着自在に取り付けられる部材である。この本体５は排水口２からの排水を排水トラップ１内部に導入させる為の通水部分を切り欠いて構成する。そして、本体５には後記する薬剤ケース６を脱着自在に取り付けるための係合用溝１１を構成する。当該係合用溝１１は、本体５の側面に凸部を備えつつ切り込みを備えた、側面方向に撓みを有するように構成される。また、薬剤ケース６を取り付け配置するために本体５の裏面に取り付け嵌合溝１７を構成する。
目隠し部４は、前記本体５に一体的に構成されるとともに、排水トラップ１内部を外部から外観視できないように遮るように構成する部材である。
薬剤ケース６は、リング状であって、その内部にぬめりを防止するための固形薬剤を収納し、薬剤ケース６の全高の半分よりも下方に開口された流入口７と、下方に開口された流出口８から構成される。また、前記本体５の係合用溝１１と脱着自在に嵌合する、薬剤ケース６の内周面に、内径方向に突出して構成される係合用リブ１０を構成する。そして、薬剤ケース６の下面には、排水口２からの排水を受け止めて、薬剤ケース６の流入口７へガイドして導入する排水ガイド９を構成する。当該排水ガイド９は、板状であって、薬剤ケース６の流入口７付近の下面から内径方向へ向かって延出するように構成される。
【００２６】
また、本実施例の施工方法を記載する。
排水プレート１８の本体５に、薬剤ケース６を取り付けるが、このときの手順としては、本体５の係合用溝１１に、薬剤ケース６の係合用リブ１０を挿入し取り付け係合させる。そのとき、薬剤ケース６は本体５の取り付け嵌合用溝内に収容配置される。なお、当該取り付け嵌合用溝は、本体５の裏面に構成されて成る。また、取り外すときは、係合用リブ１０と係合用溝１１の係合を解除するだけで、本体５から薬剤ケース６を簡単に取り外すことができる。
【００２７】
本実施例の排水トラップ１に排水が発生した場合、以下のように排水が流れる。
排水装置１に排水が発生すると、排水口２から排水が排水トラップ１内へ流入する。排水口２からの排水は、排水トラップ１内の封水部１６を通過し、排水トラップ１の排出口３から排水が流出され、最終的に配管部に排水され、下水管へと排水されるように構成される。
また、排水口２からの排水は、排水プレート１８の目隠し部４を介して排水トラップ１内へ流入するが、このとき、薬剤ケース６の排水ガイド９が排水を受け止め、薬剤ケース６の流入口７へと導入する。排水ガイド９から導入された排水は薬剤ケース６の下方に構成された流入口７から薬剤ケース６内に進入し、固形薬剤の下半分を溶解しながら、これも薬剤ケース６の下方に構成された流出口８から排出される。薬剤ケース６から排出された溶解液は、排水装置１内前面に浸透し、効果的に排水装置１内のぬめりを防止することが出来る。薬剤は使用により徐々に消費されるが、流入口７、流出口８が下側にあることから、薬剤も下方から消費されてゆき、消費分が降りてくるため、完全に使いきることが出来る。
【００２８】
次に、第３実施例を説明する。
第３実施例のぬめり取り剤付き排水装置は、図１１及び図１６に示したような排水装置１としての排水トラップ１と、防臭オワン１５と、封水部１６と、薬剤ケース６と、から構成される。
排水トラップ１は、後記する防臭オワン１５、封水部１６、を構成する。
尚、排水トラップ１は、防臭オワン１５をスライド嵌合させるための取り付け用溝１３を構成するとともに、排水が流入する排水口２と、排水トラップ１内部の排水が排出する、パイプ状の立ち上がり壁から成る排出口３から構成される。
防臭オワン１５は、排水トラップ１内に取り付けられる、断面視逆ワン形状の部材であり、排出口３に覆い被さる様に、且つ脱着自在に取り付けられる。又、当該防臭オワン１５の上端から、上面視外側方向に突出して構成される取り付け用リブ１２を構成すると共に、前記排水トラップ１の取り付け用溝１３に嵌合させて構成する。
封水部１６は、前記排水トラップ１内部に構成され、前記排出口３及び防臭オワン１５によって形成される。当該封水部１６により、常に排水の一部が排水トラップ１内に貯留し、当該封水部１６内の排水により、下水からの臭気や害虫の室内側への逆流を防止する。
薬剤ケース６は、カゴ状の部材であり、防臭オワン１５の取り付け用リブ１２に嵌合するように構成された取り付け用切り欠き１４を構成する。また、当該実施例では、防臭オワン１５の頂部に覆い被さるようにして取り付けられる。また、内部にぬめりを防止する固形薬剤を配置する。
【００２９】
また、当該ぬめり取り剤付き排水装置の施工方法は、固形剤を収納した薬剤ケース６を、防臭オワン１５の頂部に載置し、防臭オワン１５の取り付け用リブ１２に嵌合させるように取り付け用切り欠き１４をスライドさせて、両者を脱着自在に取り付ける。その後、防臭オワン１５を排水トラップ１内の取り付け用溝１３に嵌合させて取り付けが完了する。
【００３０】
本実施例のぬめり取り剤付き排水装置の排水の流れとしては、排水が発生すると排水装置１としての排水トラップ１の排水口２から排水が排水トラップ１内へ流入する。排水トラップ１内の排水は封水部１６、防臭オワン１５、排出口３を介して排水トラップ１外へと排出される。
また、排水口２からの排水は、薬剤ケース６内に流入し、固形薬剤が排水によって溶解し、溶解液を含んだ排水が、排水装置１内に浸透し、ぬめり取り剤の効果を発揮させる。
【００３１】
次に、第４実施例を説明する。
第４実施例のぬめり取り剤付き排水装置は、図１２及び図１６に示したような排水装置１としての排水トラップと、防臭オワン１５と、封水部１６と、薬剤ケース６と、から構成される。
排水トラップは、後記する防臭オワン１５、封水部１６、を構成する。
尚、排水トラップは、防臭オワン１５をスライド嵌合させるための取り付け用溝１３を構成するとともに、排水が流入する排水口２と、排水トラップ１内部の排水が排出する、パイプ状の立ち上がり壁から成る排出口３から構成される。
防臭オワン１５は、排水トラップ１内に取り付けられる、断面視逆ワン形状の部材であり、排出口３に覆い被さる様に、且つ脱着自在に取り付けられる。又、当該防臭オワン１５の上端から、上面視外側方向に突出して構成される取り付け用リブ１２を構成すると共に、前記排水トラップ１の取り付け用溝１３に嵌合させて構成する。
封水部１６は、前記排水トラップ１内部に構成され、前記排出口３及び防臭オワン１５によって形成される。当該封水部１６により、常に排水の一部が排水トラップ１内に貯留し、当該封水部１６内の排水により、下水からの臭気や害虫の室内側への逆流を防止する。
薬剤ケース６は、リング状の部材であり、防臭オワン１５の取り付け用リブ１２に嵌合するように構成された取り付け用切り欠き１４を構成する。また、当該実施例では、防臭オワン１５の周囲に取り囲むように取り付けられる。また、内部にぬめりを防止する固形薬剤を配置する。
【００３２】
また、当該ぬめり取り剤付き排水装置の施工方法は、固形剤を収納した薬剤ケース６を、防臭オワン１５の周面に配置させ、防臭オワン１５の取り付け用リブ１２に嵌合させるように取り付け用切り欠き１４をスライドさせて、両者を脱着自在に取り付ける。その後、防臭オワン１５を排水トラップ１内の取り付け用溝１３に嵌合させて取り付けが完了する。
【００３３】
本実施例のぬめり取り剤付き排水装置の排水の流れとしては、排水が発生すると排水装置１としての排水トラップ１の排水口２から排水が排水トラップ１内へ流入する。排水トラップ１内の排水は封水部１６、防臭オワン１５、排出口３を介して排水トラップ１外へと排出される。
また、排水口２からの排水は、薬剤ケース６内に流入し、固形薬剤が排水によって溶解し、溶解液を含んだ排水が、排水装置１内に浸透し、ぬめり取り剤の効果を発揮させる。
【００３４】
次に、第５実施例を説明する。
第５実施例のぬめり取り剤付き排水装置は、図１３に示したような排水装置１と、薬剤ケース６と、排水トラップと、から構成される。
排水装置１は、排水が流入する排水口２、排水装置１内の排水を外部へと排出するための排出口３を構成する。
薬剤ケース６は、カゴ状の部材であり、内部にぬめりを防止するための固形薬剤を収容して構成する。また、当該薬剤ケース６は、排水装置１底面に脱着自在に取り付けられる。本実施例における脱着自在に取り付ける手法としては、両面テープを薬剤ケース６に取り付け、排水装置１の底面に当該両面テープの吸着力により、脱着自在に取り付けることができる。
尚、排水トラップは、排水装置１の下流に構成され、管体をＵ字状に屈曲させて構成されるＵ字トラップから構成される。排水トラップは内部に封水部１６を備え、封水部１６内の排水により、下水からの臭気や害虫の室内側への逆流を防止する。
【００３５】
また、当該ぬめり取り剤付き排水装置の施工方法は、固形薬剤を収納した薬剤ケース６の両面テープを、排水装置１の底部に吸着させる。このようにすることで、薬剤ケース６を排水装置１に対して脱着自在に取り付けることが出来る。そして、このような手順で取り付けが完了する。
【００３６】
本実施例のぬめり取り剤付き排水装置の排水の流れとしては、排水が発生すると排水装置１排水口２から排水が流入し、排水装置１底部に構成される薬剤ケース６内を通過して、薬剤ケース６内の固形薬剤を溶解させる。溶解液が含まれた排水は排水装置１内に浸透しつつ、排水が排水装置１外部に排出され、なおかつ、溶解液が含まれた排水は、排水トラップ内部へと排出される。従って、溶解液を含んだ排水が、排水装置１内及び排水トラップ内部に浸透し、ぬめり取り剤の効果を発揮させる。
【００３７】
次に、第６実施例を説明する。
第６実施例のぬめり取り剤付き排水装置は、図１４に示したような排水装置１と、排水トラップと、薬剤ケース６と、から構成される。
排水装置１は、排水が流入する排水口２と、排水装置１内の排水を外部へと排出するための排出口３とを構成して成る。
排水トラップは、管体をＵ字状に屈曲させて構成し、内部に排水が貯留する封水部１６を構成する。また、封水部１６は、前記Ｕ字状排水トラップ内部に構成され、封水部１６により、常に排水の一部が排水トラップ内に貯留し、当該封水部１６内の排水により、下水からの臭気や害虫の室内側への逆流を防止する。
薬剤ケース６は、カゴ状の部材であって、内部にぬめりを防止するための固形薬剤を収納している。尚、当該薬剤ケース６は、円筒形状とし、排水装置１の排出口３に備えられてなる。
【００３８】
また、当該ぬめり取り剤付き排水装置の施工方法は、固形薬剤を収納した薬剤ケース６を、排水装置１の排出口３に差し込むように脱着自在に取り付けて両者の取付は終了する。
【００３９】
本実施例のぬめり取り剤付き排水装置の排水の流れとしては、排水が発生すると排水装置１排水口２から排水が流入し、排水装置１の排出口３から排水装置１外部へと排出される。そして、排出口３に備えられる薬剤ケース６内を通過して、薬剤ケース６内の固形薬剤を溶解させて、溶解液が含まれる排水が排水装置１内に浸透しつつ、排水が排水装置１外部に排出され、なおかつ、溶解液が含まれた排水は、排水トラップ内部へと排出される。従って、溶解液を含んだ排水が、排水装置１内及び排水トラップ内部に浸透し、ぬめり取り剤の効果を発揮させる。
【００４０】
また、本発明は上記実施例に限定されるものではなく、特許請求の範囲に記載の範囲において適宜変更は可能である。
例えば、前記実施例では、排水装置１を封水部１６を備えた排水装置１としているが、特に封水部１６を構成しない構成でも構わない。
また、前記実施例では薬剤ケース６と排水装置１の取付を係合手段もしくは両面テープで取り付けているが、この実施例に限定されることなく、例えば吸盤などで取り付けるなどの手段を用いても良い。
また、前記実施例では、本体５と薬剤ケース６の取付を係合リブと取り付け嵌合溝を取り付ける手段を用いているが、この他にも係合による取付などの手段で取り付けてもかまわない。
また、前記実施例では、防臭オワン１５と薬剤ケース６の取付を、嵌合による取付などとしているが、図１５に示したように防臭オワン１５と薬剤ケース６を一体的に構成する形でも良い。
また、前記実施例では、防臭オワン１５の周囲にリング状の薬剤ケース６を備えているが、図１５に示したように、防臭オワン１５の頂部に備えても問題はない。
【００４１】
また、上記第３実施例以降の実施例について、第１実施例と同様に、薬剤ケース６の流入口７と流出口８を薬剤ケース６の下方、特には薬剤ケース６の全高の半分以下の高さに設けた切り欠きによって構成しても良い。このようにすることで、薬剤ケース６中の薬剤の消費が、薬剤下方からに限定され、失われた分の薬剤が下側に降下するため、薬剤を最後まで使い切ることが出来る。
また同様に、上記第２実施例以降の実施例について、薬剤ケース６の下側に排水ガイド９を設けると、薬剤ケース６の配置場所や形状に関係なく、排水を薬剤ケース６内に誘導することが出来て好適である。
【図面の簡単な説明】
【００４２】
【図１】本発明の第１実施例を示す斜視図である。
【図２】本発明の第１実施例を示す断面図である。
【図３】本発明の第１実施例を示す上面図である。
【図４】本発明の第１実施例を示す下面図である。
【図５】本発明の第１実施例を示す、排水装置とセットした際の斜視図である。
【図６】本発明の第１実施例の薬剤ケースを示す斜視図である。
【図７】本発明の第１実施例の薬剤ケースを示す斜視図である。
【図８】本発明の第１実施例を示す排水装置とセットした際の断面図である。
【図９】本発明の第２実施例を示す斜視図である。
【図１０】本発明の第２実施例の薬剤ケースを示す斜視図である。
【図１１】本発明の第３実施例を示す斜視図である。
【図１２】本発明の第４実施例を示す斜視図である。
【図１３】本発明の第５実施例を示す断面図である。
【図１４】本発明の第６実施例を示す断面図である。
【図１５】本発明のその他の実施例を示す斜視図である。
【図１６】従来例を示す断面図である。
【図１７】従来例を示す斜視図である。
【図１８】従来例を示す一部切り欠き斜視図である。
【符号の説明】
【００４３】
１    排水装置（排水トラップ）
２    排水口
３    排出口
４    目隠し部
５    本体
６    薬剤ケース
７    流入口
８    流出口
９    排水ガイド
１０  係合用リブ
１１  係合用溝
１２  取り付け用リブ
１３  取り付け用溝
１４  取り付け用切り欠き
１５  防臭オワン
１６  封水部
１７  取り付け嵌合溝
１８  排水プレート
【図１】
2006342553.tif 000003
【図２】
2006342553.tif 000004
【図３】
2006342553.tif 000005
【図４】
2006342553.tif 000006
【図５】
2006342553.tif 000007
【図６】
2006342553.tif 000008
【図７】
2006342553.tif 000009
【図８】
2006342553.tif 000010
【図９】
2006342553.tif 000011
【図１０】
2006342553.tif 000012
【図１１】
2006342553.tif 000013
【図１２】
2006342553.tif 000014
【図１３】
2006342553.tif 000015
【図１４】
2006342553.tif 000016
【図１５】
2006342553.tif 000017
【図１６】
2006342553.tif 000018
【図１７】
2006342553.tif 000019
【図１８】
2006342553.tif 000020